(57)【要約】    【課題】      データ読取り書込み部５におけるデータの読取りおよび書込みの確率を向上して、ＲＦＩＤアンテナ１５とＲＦＩＤ用紙（ＲＦＩＤラベル９）との間のデータ伝送をより確実にすることができ、ＲＦＩＤアンテナ１５とＲＦＩＤ用紙９との間のデータ伝送の処理速度、プリンター（サーマルプリンター２０）の印字速度を向上可能なＲＦＩＤ用紙のリーダーライター装置を提供すること。    【解決手段】  データ読取り書込み部５のＲＦＩＤアンテナ１５に対向して金属製のプレート２２を配置すること、ＲＦＩＤアンテナ１５とＲＦＩＤ用紙９との間における電波を介するデータ伝送のための空間を金属製のプレート２２で遮蔽ないし保護することに着目したもので、ＲＦＩＤアンテナ１５に対向する位置に金属製のプレート２２を配置するとともに、プレート２２とＲＦＩＤアンテナ１５との間にＲＦＩＤ用紙９を移送可能としたことを特徴とする。【選択図】        図１
2006277231.tif 000002
【特許請求の範囲】
【請求項１】
ＲＦＩＤアンテナを有し、
ＲＦＩＤ用紙から所定のデータを読み取り、あるいは同ＲＦＩＤ用紙に所定のデータを書き込むためのＲＦＩＤ用紙のリーダーライター装置であって、
前記ＲＦＩＤアンテナに対向する位置に金属製のプレートを配置するとともに、
このプレートと前記ＲＦＩＤアンテナとの間に前記ＲＦＩＤ用紙を移送可能としたことを特徴とするＲＦＩＤ用紙のリーダーライター装置。
【請求項２】
前記プレートは、これをアルミニウム製としたことを特徴とする請求項１記載のＲＦＩＤ用紙のリーダーライター装置。
【請求項３】
前記プレートは、前記ＲＦＩＤアンテナが前記ＲＦＩＤ用紙に対して広がっている面積とほぼ同等の面積を有することを特徴とする請求項１記載のＲＦＩＤ用紙のリーダーライター装置。
【請求項４】
前記プレートは、前記ＲＦＩＤアンテナとほぼ平行な位置にこれを配置することを特徴とする請求項１記載のＲＦＩＤ用紙のリーダーライター装置。
【請求項５】
前記プレートと前記ＲＦＩＤアンテナとの間に、前記ＲＦＩＤ用紙を移送可能なデータ伝送空間を形成可能としたことを特徴とする請求項１記載のＲＦＩＤ用紙のリーダーライター装置。
【発明の詳細な説明】
【技術分野】
【０００１】
本発明はＲＦＩＤ（Ｒｅｄｉｏ  Ｆｒｅｑｕｅｎｃｙ  Ｉｄｅｎｔｉｆｉｃａｔｉｏｎ）用紙のリーダーライター装置にかかるもので、とくにプリンターに装備されるラベルあるいはタグ（下げ札）などの形態としたＲＦＩＤ用紙のリーダーライター装置に関するものである。
【背景技術】
【０００２】
従来のＲＦＩＤ用紙のリーダーライターを装備したプリンター（たとえばサーマルプリンター１）について、図２および図３にもとづき概説する。
図２は、サーマルプリンター１の要部概略側面図であって、サーマルプリンター１は、ＲＦＩＤ用紙連続体２の移送路３と、用紙センサー４と、データ読取り書込み部５と、印字部６と、制御部７と、を有する。
【０００３】
図３は、ＲＦＩＤ用紙連続体２の平面図であって、ＲＦＩＤ用紙連続体２は、帯状の台紙８と、台紙８上に等間隔に仮着した複数枚のＲＦＩＤラベル９（ＲＦＩＤ用紙）と、を有する。
ＲＦＩＤラベル９は、台紙８に仮着可能なラベル本体１０と、ラベル本体１０に形成したアンテナ１１およびＩＣチップ１２と、を有し、所定の保持部（図示せず）から台紙８とともに移送路３上にこれを移送する。
【０００４】
移送路３には、合成樹脂製の移送路ブラケット１３を設けて、用紙センサー４、データ読取り書込み部５および印字部６に適正にＲＦＩＤ用紙連続体２が移送されるようにしてある。
【０００５】
用紙センサー４は、ＲＦＩＤラベル９の間の間隙を検知して、ＲＦＩＤ用紙連続体２の位置検出を行うもので、移送路３に沿って設けた合成樹脂製のセンサー保持用ブラケット１４にこれを取り付けてある。
【０００６】
データ読取り書込み部５は、用紙センサー４と印字部６との間に位置して、ＲＦＩＤ用紙連続体２のＲＦＩＤラベル９からのデータの読取りあるいはＲＦＩＤラベル９へのデータの書込み、すなわち無線による非接触のデータ伝送を行うもので、ＲＦＩＤアンテナ１５を有し、制御部７からの制御信号により、当該データの読取りおよび書込みを無線により非接触で双方向に行うことができる。
なお、ＲＦＩＤアンテナ１５は、移送路ブラケット１３に一体的な合成樹脂製のアンテナ用ブラケット１６にこれを取り付けてある。
【０００７】
印字部６は、サーマルヘッド１７およびプラテンローラー１８を有し、制御部７からの制御信号により必要に応じてＲＦＩＤ用紙連続体２のＲＦＩＤラベル９の表面上に所定の情報を印字する。
なお、プラテンローラー１８は、移送路ブラケット１３の先端部に位置している。
また、台紙８からＲＦＩＤラベル９を剥離するための剥離部（剥離板、図示せず）を必要に応じて設けることにより、台紙８のみを転向させ、台紙８からＲＦＩＤラベル９を剥離可能とすることができる。
【０００８】
制御部７は、上述の用紙センサー４、ＲＦＩＤアンテナ１５、サーマルヘッド１７およびプラテンローラー１８を制御するもので、それぞれに対して、センサー接続ケーブル７Ａ、アンテナ接続ケーブル７Ｂ、ヘッド接続ケーブル７Ｃおよびローラー接続ケーブル７Ｄによりこれを接続し、必要な制御を行う。
【０００９】
こうした構成のサーマルプリンター１において、データ読取り書込み部５におけるＲＦＩＤアンテナ１５から、ＲＦＩＤラベル９内のアンテナ１１を介してＩＣチップ１２からデータを読み取り、あるいはＩＣチップ１２に必要なデータを書き込むことができるとともに、これらのデータに対応する所定のバーコード情報などを印字部６においてＲＦＩＤラベル９の表面に印字可能である。
【００１０】
しかしながら、隣り合うＲＦＩＤラベル９どおしの間の間隔（ギャップＧ）が３ｍｍ程度の場合の実験によると、書込み成功率は必ず１００％にはならず、２〜３％の割合で書き込み不可能な場合が発生するとともに、書込みエラーは１４％に達するという問題がある。なお、データの読取り処理については、書込み処理に比較するとそのエラー率は低い。
さらに、データ伝送の確実性を確保するためにＲＦＩＤ用紙連続体２の移送速度を低下させることも考えられるが、サーマルプリンター１における印字速度を低減しなければならないという別の問題が発生する。
【００１１】
上述のような無線によるデータ伝送の不確実性の問題は、サーマルプリンター１内における、たとえば移送路ブラケット１３、センサー保持用ブラケット１４あるいはアンテナ用ブラケット１６などの各種の構造部材と電波との相互作用ないし反射作用、さらには、制御部７に接続しているセンサー接続ケーブル７Ａ、アンテナ接続ケーブル７Ｂ、ヘッド接続ケーブル７Ｃあるいはローラー接続ケーブル７Ｄに流れる各種の信号ないしその電磁波からの影響があると推測される。
【００１２】
【特許文献１】特開２００３−２８３３６５号公報
【発明の開示】
【発明が解決しようとする課題】
【００１３】
本発明は以上のような諸問題にかんがみなされたもので、データ読取り書込み部におけるデータの読取りおよび書込みの確率を向上可能なＲＦＩＤ用紙のリーダーライター装置を提供することを課題とする。
【００１４】
また本発明は、ＲＦＩＤアンテナとＲＦＩＤ用紙との間のデータ伝送をより確実にすることができるＲＦＩＤ用紙のリーダーライター装置を提供することを課題とする。
【００１５】
また本発明は、隣り合うＲＦＩＤ用紙どおしの間のギャップが小さくなってもデータ伝送の確実性を確保可能なＲＦＩＤ用紙のリーダーライター装置を提供することを課題とする。
【００１６】
また本発明は、ＲＦＩＤアンテナとＲＦＩＤ用紙との間のデータ伝送の処理速度、さらにはプリンターの印字速度を向上可能なＲＦＩＤ用紙のリーダーライター装置を提供することを課題とする。
【課題を解決するための手段】
【００１７】
すなわち本発明は、データ読取り書込み部のＲＦＩＤアンテナに対向して金属製のプレートを配置すること、すなわち、ＲＦＩＤアンテナとＲＦＩＤ用紙との間における電波を介するデータ伝送のための空間を金属製のプレートで遮蔽ないし保護することに着目したもので、ＲＦＩＤアンテナを有し、ＲＦＩＤ用紙から所定のデータを読み取り、あるいは同ＲＦＩＤ用紙に所定のデータを書き込むためのＲＦＩＤ用紙のリーダーライター装置であって、上記ＲＦＩＤアンテナに対向する位置に金属製のプレートを配置するとともに、このプレートと上記ＲＦＩＤアンテナとの間に上記ＲＦＩＤ用紙を移送可能としたことを特徴とするＲＦＩＤ用紙のリーダーライター装置である。
【００１８】
上記プレートは、これをアルミニウム製とすることができる。
【００１９】
上記プレートは、上記ＲＦＩＤアンテナが上記ＲＦＩＤ用紙に対して広がっている面積とほぼ同等の面積を有することができる。
【００２０】
上記プレートは、上記ＲＦＩＤアンテナとほぼ平行な位置にこれを配置することができる。
【００２１】
上記プレートと上記ＲＦＩＤアンテナとの間に、上記ＲＦＩＤ用紙を移送可能なデータ伝送空間を形成可能とすることができる。
【００２２】
上記プレートの材料としての金属は、データ読取り書込み部の周辺の構造部材の材料に応じて、任意に選択することができる。
【発明の効果】
【００２３】
本発明によるＲＦＩＤ用紙のリーダーライター装置においては、ＲＦＩＤアンテナに対向する位置に配置したアルミニウムや鉄などの金属製のプレートとＲＦＩＤアンテナとの間にＲＦＩＤ用紙を移送するようにしたので、このプレートにおける電波の反射作用により、あるいは外部からの電磁波その他の外乱を遮蔽する作用により、データ伝送空間（ＲＦＩＤアンテナとＲＦＩＤ用紙との間のデータ伝送を行う空間）を保護することが可能となり、データ伝送の確実性および処理速度を向上させることができる。
【発明を実施するための最良の形態】
【００２４】
本発明は、アルミニウム製などのプレートを所定部位に配置するだけの簡単な構成で、読み取り書き込み機能を確保するとともに、その処理速度を向上可能なＲＦＩＤ用紙のリーダーライター装置を実現した。
【実施例】
【００２５】
つぎに本発明の実施例によるＲＦＩＤ用紙のリーダーライター装置を図１にもとづき説明する。ただし、図２および図３と同様の部分には同一符号を付し、その詳述はこれを省略する。
図１は、図２と同様の基本構造を有するサーマルプリンター２０の要部概略側面図であって、サーマルプリンター２０は、前記ＲＦＩＤ用紙連続体２の移送路３、用紙センサー４、データ読取り書込み部５、印字部６および制御部７とともに、当該ＲＦＩＤ用紙のリーダーライター装置２１を有する。
ＲＦＩＤ用紙のリーダーライター装置２１は、データ読取り書込み部５と、制御部７と、金属製のプレート２２と、からこれを構成する。
【００２６】
プレート２２は、たとえばアルミニウム材あるいは鉄材などによりこれを構成し、ＲＦＩＤアンテナ１５がＲＦＩＤラベル９に対して広がっている面積とほぼ同等の面積を有するとともに、ＲＦＩＤアンテナ１５とほぼ平行な位置にこれを配置する。
【００２７】
当該金属製のプレート２２とＲＦＩＤアンテナ１５との間の移送路３にデータ伝送空間２３を形成可能とし、このデータ伝送空間２３内の移送路３にＲＦＩＤ用紙連続体２（ＲＦＩＤラベル９）を移送可能とする。
【００２８】
こうした構成のＲＦＩＤ用紙のリーダーライター装置２１において、データ読取り書込み部５のＲＦＩＤアンテナ１５とＲＦＩＤラベル９との間のデータ伝送処理（データの読取りおよび書き込み処理）は、ＲＦＩＤアンテナ１５とたとえばアルミニウム製のプレート２２との間に形成したデータ伝送空間２３内において行われることになるので、ＲＦＩＤアンテナ１５およびＲＦＩＤラベル９における電波は、プレート２２の遮蔽作用にともなって各種の外乱からの影響を受けることなく、また、データ伝送空間２３内でのプレート２２における反射作用も加わってデータ伝送空間２３内にその相互作用を限定される結果、データ伝送の確実性を向上させることができる。
【００２９】
このプレート２２を設けない従来のサーマルプリンター１（図２）の場合には、ＲＦＩＤラベル９の３６枚中５枚に書込みエラー（エラー率約１４％）が発生したが、たとえばアルミニウム製のプレート２２を設けたサーマルプリンター２０（ＲＦＩＤ用紙のリーダーライター装置２１）の場合には、３６枚中書込みエラーが発生したものは１枚もなかった（エラー率０％）。
さらに、若干ではあるが、書込み速度にも増加が認められた。
【００３０】
かくして、本発明によるＲＦＩＤ用紙のリーダーライター装置２１は、ＲＦＩＤラベル９との間のデータ伝送エラーを極力低減するとともに、処理速度を向上させて、隣り合うＲＦＩＤラベル９どおしの間のギャップＧの大きさに対しても余裕を持たせ、ギャップＧが狭くなっても確実なデータの読取りおよび書込み処理を実行することができる。
【図面の簡単な説明】
【００３１】
【図１】本発明の実施例によるＲＦＩＤ用紙のリーダーライター装置２１を備えたサーマルプリンター２０の要部概略側面図である。
【図２】従来のサーマルプリンター１の要部概略側面図である。
【図３】同、ＲＦＩＤ用紙連続体２の平面図である。
【符号の説明】
【００３２】
１  サーマルプリンター（図２）
２  ＲＦＩＤ用紙連続体
３  移送路
４  用紙センサー
５  データ読取り書込み部
６  印字部
７  制御部
７Ａ  制御部７のセンサー接続ケーブル
７Ｂ  制御部７のアンテナ接続ケーブル
７Ｃ  制御部７のヘッド接続ケーブル
７Ｄ  制御部７のローラー接続ケーブル
８  台紙
９  ＲＦＩＤラベル（ＲＦＩＤ用紙）
１０  ラベル本体
１１  アンテナ
１２  ＩＣチップ
１３  移送路ブラケット
１４  センサー保持用ブラケット
１５  ＲＦＩＤアンテナ
１６  アンテナ用ブラケット
１７  サーマルヘッド
１８  プラテンローラー
２０  サーマルプリンター（図１）
２１  ＲＦＩＤ用紙のリーダーライター装置（実施例、図１）
２２  アルミニウムなど金属製のプレート
２３  プレート２２とＲＦＩＤアンテナ１５との間のデータ伝送空間
Ｇ    隣り合うＲＦＩＤラベル９どおしの間の間隔（ギャップ）
【図１】
2006277231.tif 000003
【図２】
2006277231.tif 000004
【図３】
2006277231.tif 000005